(57)【要約】      （修正有）【課題】利用者にとって満足の行く写真画像を得る写真撮影遊戯装置を提供する。【解決手段】写真撮影遊戯装置は、一又は複数の利用者を、複数回撮影をする撮影部５０１と、撮影部により撮影された一又は複数の利用者を、複数回撮影をして得られる複数の撮影画像を、保持する画像保持部５０２と、利用者の人数が２以上であるとき、画像保持部が保持する複数の撮影画像の少なくとも一つの撮影画像から、利用者の少なくとも一人を撮影した部分画像を選択する画像選択部５０３と、選択部により選択された部分画像及び複数の撮影画像のいずれか一以上を用いて合成した画像を保持する合成画像保持部５０５と、を備える。【選択図】図５
2016208333.tif 000002
【特許請求の範囲】
【請求項１】
一または複数の利用者を、複数回撮影をする撮影部と、
前記撮影部により撮影された前記一または複数の利用者を、複数回撮影をして得られる複数の撮影画像を、保持する画像保持部と、
前記利用者の人数が２以上であるとき、前記画像保持部が保持する前記複数の撮影画像の少なくとも一つの撮影画像から、前記利用者の少なくとも一人を撮影した部分画像を選択する選択部と、
前記選択部により選択された部分画像および前記複数の撮影画像のいずれか一以上を用いて合成した画像を保持する合成画像保持部と、
を備える写真撮影遊戯装置。
【請求項２】
前記撮影部は、前記一または複数の利用者を連続撮影して複数回撮影をする請求項１に記載の写真撮影遊戯装置。
【請求項３】
前記合成画像保持部に保持された合成画像を表示する表示部をさらに備え、
前記表示部に表示された合成画像の合成に用いられた前記一または複数の利用者ごとに選択された画像の選択がされると、前記選択部が、前記選択がされた画像の利用者の撮影画像を再度選択する請求項１または２に記載の写真撮影遊戯装置。
【請求項４】
前記選択部は、前記一または複数の利用者ごとに、前記複数の撮影画像から前記選択をし、
前記合成画像保持部は、前記一または複数の利用者ごとに、前記選択をした複数の撮影画像を組み合わせて複数の合成した画像を保持し、
前記表示部は、前記合成画像保持部に保持された複数の合成した画像を表示する請求項３に記載の写真撮影遊戯装置。
【請求項５】
前記選択部は、前記選択により、前記合成画像保持部に保持される合成した画像が、既に保持されている合成画像と同じになる場合には、警告を発する請求項３に記載の写真撮影遊戯装置。
【請求項６】
前記画像保持部は、前記複数の撮影画像それぞれに撮影されている利用者の認識を行い、同じ利用者が撮影されている部分画像を他の撮影画像の部分画像に撮影されている前記同じ利用者に関連付ける請求項１から５のいずれか一項に記載の写真撮影遊戯装置。
【請求項７】
一または複数の利用者それぞれを複数回の撮影をする撮影部が接続されたコンピュータに、
前記撮影部により撮影された前記一または複数の利用者を、複数回撮影をして得られる複数の撮影画像を、記憶させ、
前記利用者の人数が２以上であるとき、前記記憶された複数の撮影画像の少なくとも一つの撮影画像から、前記利用者の少なくとも一人を撮影した部分画像を選択させ、
前記選択された部分画像および前記複数の撮影画像のいずれか一以上を用いて合成した画像を記憶させるためのコンピュータプログラム。
【発明の詳細な説明】
【技術分野】
【０００１】
本願発明は、写真撮影遊戯装置、写真撮影遊戯のためのプログラムなどに関する。特に、利用者の撮影画像を入れ替えることができる写真撮影遊戯装置、写真撮影遊戯のためのプログラムなどに関する。
【背景技術】
【０００２】
いわゆる「プリクラ」として知られている写真撮影遊戯装置は、利用者の顔写真を撮影し、撮影により得られた画像に利用者が修飾（いわゆる「落書き」）などを加えた画像を、印刷装置からシールに印刷したり、サーバにアップロードされた画像を端末にダウンロードしたりするための装置である（例えば、特許文献１参照。）。
【先行技術文献】
【特許文献】
【０００３】
【特許文献１】特開２０１３−１７８５４４号公報
【発明の概要】
【発明が解決しようとする課題】
【０００４】
複数の利用者が従来の写真撮影遊戯装置を利用する場合においては、撮影空間において集合して撮影を行うとき、複数の利用者の全員にとって最良の表情などで撮影がされ全員が満足の行く写真画像を得ることは困難な場合がある。例えば、複数の利用者のうちの一人が撮影の瞬間に目を閉じてしまったり、視線の方向が他の利用者と異なる方向に向いてしまったりすることがある。
【０００５】
また、一人の利用者が従来の写真撮影遊戯装置を利用する場合であっても、同様であり、撮影の瞬間に目を閉じてしまったり、視線の方向を意図していたのとは異なる方向に向いてしまったりすることがある。また、印刷やアップロードがされる写真の枚数に制限があり、例えば表情と背景との組合せが合致し満足の行く写真画像を得ることは困難な場合がある。
【０００６】
本願発明は、以上の諸事情に鑑みてなされたものである。
【課題を解決するための手段】
【０００７】
本願発明の一実施形態として、撮影部と、画像保持部と、選択部と、合成画像保持部とを有する写真撮影遊戯装置を提供する。撮影部は、一または複数の利用者を、複数回撮影をする。画像保持部は、撮影部により撮影された一または複数の利用者を、複数回撮影をして得られる複数の撮影画像を、保持する。選択部は、前記利用者の人数が２以上であるとき、前記画像保持部が保持する複数の撮影画像の少なくとも一つの撮影画像から、利用者の少なくとも一人を撮影した部分画像を選択する。合成画像保持部は、選択部により選択された部分画像および前記複数の撮影画像のいずれか一以上を用いて合成した画像を保持する。また、本願発明の一実施形態として、さらに、合成画像保持部が保持する画像を印刷する印刷部が写真撮影遊戯装置に備えられていてもよい。
【０００８】
本願発明の一実施形態として、一または複数の利用者それぞれを複数回の撮影をする撮影部が接続されたコンピュータに、前記撮影部により撮影された前記一または複数の利用者を、複数回撮影をして得られる複数の撮影画像を、記憶させ、前記利用者の人数が２以上であるとき、前記記憶された複数の撮影画像の少なくとも一つの撮影画像から、前記利用者の少なくとも一人を撮影した部分画像を選択させ、前記選択された部分画像および前記複数の撮影画像のいずれか一以上を用いて合成した画像を記憶させるためのコンピュータプログラムを、提供することもできる。
【発明の効果】
【０００９】
本願発明によれば、写真撮影遊戯装置の利用者にとって満足の行く写真画像を得ることができる。
【図面の簡単な説明】
【００１０】
【図１】（Ａ）本願発明の一実施形態に係る写真撮影遊戯装置の空間の構成を示す図である。（Ｂ）本願発明の一実施形態に係る写真撮影遊戯装置の斜視図である。
【図２】本願発明の一実施形態に係る写真撮影遊戯装置の撮影空間に表示する画面の一例図である。
【図３】本願発明の一実施形態に係る写真撮影遊戯装置の撮影空間または編集空間に表示する画面の一例図である。
【図４】本願発明の一実施形態に係る写真撮影遊戯装置の撮影空間または編集空間に表示する画面の一例図である。
【図５】本願発明の一実施形態に係る写真撮影遊戯装置の機能ブロック図である。
【図６】本願発明の一実施形態に係る写真撮影遊戯装置のハードウェア構成図である。
【図７】（Ａ）本願発明の一実施形態に係る写真撮影遊戯装置のフローチャートである。（Ｂ）本願発明の一実施形態に係る写真撮影遊戯装置のフローチャートである。
【発明を実施するための形態】
【００１１】
以下、本願発明を実施するための形態について、実施形態として説明する。なお、本願発明は、以下に説明する実施形態に限定して解釈されることはない。本願発明は、以下に説明する実施形態を種々に変形して実施することが可能である。
【００１２】
図１（Ａ）は、本願発明の一実施形態に係る写真撮影遊戯装置のカーテンや壁、ドアなどの仕切りなどにより提供される空間の構成の一例を示す。写真撮影遊戯装置１００は、空間として、撮影空間１０１と編集空間１（１０２）と編集空間２（１０３）とを提供する。利用者（一人または複数人）は、まず、撮影空間１０１において撮影を行い、次に他の利用者が利用していない編集空間１（１０２）と編集空間２（１０３）とのいずれかに移動を行い、撮影空間１０１において撮影された撮影画像に編集などの加工を行う。編集などの加工が終われば、図示されていない印刷装置により、編集などの加工が行われた撮影画像をシールなどに印刷を行う。あるいは、編集などの加工が行われた撮影画像を写真撮影遊戯装置１００からネットワークを介してサーバにアップロードし、後に利用者は端末装置を用いてサーバから撮影画像をダウンロードし、端末装置に撮影画像を記憶させることも可能である。
【００１３】
なお、利用者が写真撮影遊戯装置１００の利用を開始してから、印刷やアップロードが行われるまでの間に、利用者に課金が行われる場合には、利用者はその課金に対する対価の支払いを行う。対価の支払いは、硬貨や紙幣を写真撮影遊戯装置１００に投入したり、クレジットカードや電子マネーなどを用いたりして行われる。
【００１４】
図１（Ｂ）は、本願発明の一実施形態に係る写真撮影遊戯装置の斜視図の一例である。写真撮影遊戯装置１１０は、区画１１１と区画１１２と区画１１２とを有している。区画１１１と区画１１２と区画１１２とのそれぞれは、出入口１１４、１１５および１１６が例えばカーテンにより仕切られ、区画１１１と区画１１２と区画１１２との間は例えば壁によって仕切られている。
【００１５】
区画１１１が撮影空間１０１に対応している。区画１１１の内部には、撮影用のカメラと、利用者に指示を行ったり、カメラにより撮影された画像を表示したりするための表示装置と、表示装置の表示に指示を行うなどの入力装置が備えられている。また、必要に応じては、フラッシュなどの照明機器も備えられている。また、利用者の気分を盛り上げるなどのための音楽の再生のためのスピーカーなども備えられていてもよい。なお、表示装置にタッチパネルを備えることにより、表示装置と入力装置とが一体になっていてもよい。
【００１６】
利用者が区画１１１において撮影を終了すると、表示装置などに表示された指示やスピーカーから再生される音声の指示などにより、撮影空間１（１０２）に対応する区画１１２または撮影空間２（１０３）に対応する区画１１３に移動する。区画１１２および区画１１３のそれぞれには、表示装置と入力装置とが備えられている。利用者は、区画１１２または区画１１３の表示装置に、区画１１１において撮影された撮影画像を表示し、複数の撮影画像があれば、その中から選択を行う。また、撮影画像に背景画像を付加したり、入力装置を用いて撮影画像に様々な文字、模様などの部分画像の付加を行ったりするなどの作業を行う。なお、撮影画像に背景画像を付加したり、入力装置を用いて撮影画像に様々な文字、模様などの部分画像の付加を行ったりした後の画像を、編集画像という場合がある。
【００１７】
利用者は、区画１１２または区画１１３における作業を終えると、区画１１２または区画１１３や他の場所に備えられた印刷装置に編集画像を印刷して出力する。あるいは、ネットワークを介してサーバに編集画像をアップロードする。サーバに編集画像をアップロードする際には、撮影画像に背景画像を付加したり、入力装置を用いて撮影画像に様々な文字、模様などの部分画像の付加を行ったりする前の撮影画像をアップロードしてもよい。
【００１８】
なお、図１（Ａ）において、撮影空間の数は１とし、編集区間の数を２としたが、撮影空間および編集空間の数は任意の自然数とすることができる。また、図１（Ａ）において、撮影空間１０１、編集空間１（１０２）および編集空間２（１０３）とは、互いに接している必要はなく、撮影空間１０１、編集空間１（１０２）および編集空間２（１０３）は離隔して配置されていてもよい。このため、図１（Ｂ）において、写真撮影遊戯装置は一体となって構成されている必要もない。
【００１９】
図２は、本願発明の一実施形態に係る写真撮影遊戯装置の撮影空間の表示装置に表示される内容の一例である。符号２０１は、撮影用のカメラ２０２と表示装置２０３とが一体となった構成の一例を示す。なお、撮影用のカメラ２０２と表示装置２０３とは必ずしも一体となっている必要はない。
【００２０】
図２において、表示装置２０３には、「撮影（あと４回）３秒前」２０３が表示され、複数利用者が利用する場合には、集合した状態の撮影が３秒後に開始されることが予告されている。また、一人の利用者であれば、その一人の利用者の撮影が３秒後に開始されることが予告されている。また、撮影は、あと４回行われることが予告されている。各撮影は、例えば１０秒間の間隔を置いて行われる。
【００２１】
なお、各撮影においては、短時間の間に複数の撮影画像が取得される連続撮影（連写）が行われてもよい。例えば１秒間の間に４回の撮影を行い４つの撮影画像が撮影用のカメラ２０２により取得されるようになっていてもよい。本願においては、「１回の撮影」とは、１つの撮影画像を得る撮影とする。ただし、この定義に限定されることない。例えば、複数の撮影画像を得る連写を１回の撮影と定義し、以下の説明を適宜読み替えることができる。言い換えると、本願においては、撮影用のカメラ２０２に１つの撮影画像を取得する命令の回数によって撮影の回数を定義しているが、撮影用のカメラ２０２が連写機能を有する場合には、１回の連写の命令により撮影の回数を定義することもできる。
【００２２】
また、写真撮影遊戯装置は、撮影空間１０１撮影が終了すると、撮影画像に撮影された利用者の顔認識を行い、その利用者が撮影されている他の撮影画像（例えば、同じ撮影における連写により得られた他の撮影画像）からその利用者を認識するための特徴データを生成してもよい。また、顔認識により、撮影された利用者の人数を取得することもできる。ただし、利用者の人数は、利用者が撮影空間１０１または編集空間１（１０２）もしくは２（１０３）において、写真撮影遊戯装置に入力した値により取得することもできる。また、撮影空間１０１の床面にセンサーを設置し、そのセンサーが検知したデータにより撮影された利用者の人数を取得することもできる。
【００２３】
撮影空間１０１における撮影が終了すると、利用者は、編集空間１（１０２）または２（１０３）に移動するように案内がされる。編集空間１（１０２）または２（１０３）においては、撮影空間で撮影された撮影画像に対する編集が行われる。
【００２４】
図３は、利用者が編集空間１（１０２）または２（１０３）に移動した後に、編集空間１（１０２）または２（１０３）の表示装置に表示される画面の一例を示す。すなわち、写真撮影遊戯装置は、各撮影により得られた複数の撮影画像から、利用者を認識するための特徴データなどを用いて、同じ利用者が撮影されている部分画像を抽出し、表示装置３０１に表示する。図３においては、１人目の利用者が撮影されている部分画像を抽出した部分画像３０２、３０３、３０４、３０５が表示されている。例えば、部分画像３０２は、連写の１枚目から抽出された部分画像であり、部分画像３０３は、連写の２枚目から抽出された部分画像である。連写が行われない場合は、部分画像３０２は、１回目の撮影画像から抽出された部分画像であり、部分画像３０３は、２回目の撮影画像から抽出された部分画像であるなどとすることができる。
【００２５】
利用者は、部分画像３０２、３０３、３０４、３０５の中から好きなものを選択することができる。例えば、画像３０２、３０３、３０４、３０５の表示領域に対するタッチ操作を行うことにより、選択をする。また、利用者が撮影されている部分画像の中の例えば、目の領域、口の領域などのさらにパーツ領域をドラッグ操作などにより選択することもできる。１人目の利用者の部分画像の選択が終了すれば、「次の人の写真の選択へ」３０６のボタンを押下することにより、２人目の利用者の部分画像の選択が可能となる。なお、部分画像の選択を行わずに、ただちに「次の人の写真の選択へ」３０６のボタンを押下してもよい。
【００２６】
また、図３に例示する画面による撮影画像の選択において、１つの撮影画像が選択されるのではなく、複数の撮影画像が選択されてもよい。この場合は、選択がされた複数の撮影画像に順序を指定してもよい。一例としては、利用者が最も気に入った撮影画像と、２番目に気に入った撮影画像とを選択することもできる。また、各利用者の全ての撮影画像それぞれに、利用者が気に入った順序を付与するようにすることもできる。また、目を閉じてしまった場合や視線の方向がカメラの方を向いていないなどの部分画像が使用されないように、部分画像が使用されないように削除することもできる。なお、このような選択は、撮影された利用者の人数が２以上である場合にのみ行われてもよい。
【００２７】
また、図３の表示が行われるよりも前に図４の表示が行われてもよい。図４は、利用者が編集空間１（１０２）または２（１０３）に移動した後に、編集空間１（１０２）または２（１０３）に配置された表示装置４０１に、画像を表示した別の一例である。利用者は、この表示に対して指示を行うことにより、利用者の部分画像を別の部分画像に入れ替えたりすることができる。さらに、このような表示に対して指示を行うことにより、画像に背景画像を付加したり、入力装置を用いて撮影画像に様々な文字、模様などの部分画像を付加したりすることも可能となっていてもよい。
【００２８】
図４において、２つの画像４０２、４０３が左右に表示されている。もちろん、１つの画像のみを表示することも可能であり、各撮影の連写により得られた複数の撮影画像全てを表示することも可能である。また、複数の撮影画像を表示するときには、スクロールバーなどにより、表示する画像を左右上下などの方向に移動させて、表示される画像を変更することもできる。
【００２９】
撮影画像４０２、４０３のそれぞれは、撮影空間１０１において利用者が集合して撮影された撮影画像である場合もある。しかし、本実施形態の特徴の一つは、表示されている画像４０２、４０３のいずれか一以上は、選択された部分画像および撮影空間１０１において撮影された撮影画像を合成して得られた画像となる場合があることである。選択された部分画像は、例えば図３に示す表示により、複数の撮影画像から利用者を撮影した部分画像から選択がされた部分画像である。
【００３０】
例えば、画像４０２は、利用者が集合して撮影された撮影画像の一つである。例えば、連写を行ったときの１枚目の撮影画像である。画像４０３は、画像４０２の１人目の利用者および２人目の利用者それぞれに、図３に一例を示した画面により選択した部分画像を用いて、画像４０３の１人目の利用者および２人目の利用者それぞれを置換して合成した写真である。これは、１人目の利用者および２人目の利用者それぞれが、図３に例示される表示を用いて、連写を行ったときの１枚目以外の撮影画像の部分画像を選択したためである。このように本願発明の一実施形態においては、それぞれの利用者にとってのベストショットを選択して一つの撮影画像を得ることができる。
【００３１】
また、図４において、撮影画像４０２、４０３のそれぞれの上部に表示されている「１人目変更」４０５、４０７および「２人目変更」４０６、４０８のそれぞれは、ボタンである。いずれかのボタンを押下すると、押下されたボタンの下に表示されている撮影画像、利用者を一人ずつ撮影して得られた撮影画像に基づく画像において、利用者が撮影されている部分を別の部分画像に変更することができる。
【００３２】
例えば、「１人目変更」４０７のボタンを押下すると、図３に一例を示す表示が行われ、１人目の利用者の部分画像が選択可能となる。図３に一例を示す表示により、部分画像が選択されると、図４において、表示装置４０１に表示されている撮影画像４０２の１人目の利用者が撮影されている部分が、図３に一例を示す表示により選択された部分画像に置換された（入れ替えた）合成画像が表示される。この場合、図３に一例を示す表示により選択された撮影画像における１人目の利用者の大きさ（範囲）と撮影画像４０２における１人目の利用者の大きさ（範囲）とは同じとは限らない場合には、図３に一例を示す表示により選択された撮影画像の大きさを変更して合成が行われる。
【００３３】
選択がされた利用者の画像を、入れ替えるには、選択がされた利用者が表示されている部分の輪郭を抽出する。通常、撮影空間１０１においては、特定の色の壁面やカーテンを背景として撮影を行う。そこで、特定の色ではない部分が利用者の撮影された領域と判断し、その利用者が撮影された領域を、特定の色で塗りつぶし、その領域に、選択された撮影画像を配置する。
【００３４】
同様に、「２人目変更」４０６のボタンを押下すると、図３に一例を示す表示が行われ、２人目の利用者の部分画像が選択可能となる。図３に一例を示す表示により、部分画像が選択されると、図４において、表示装置４０１に表示されている画像４０３の２人目の利用者が撮影されている部分が、図３に一例を示す表示により選択された部分画像に置換された合成画像が表示される。
【００３５】
短時間の間に複数の撮影画像が取得される連続撮影（連写）により得られた撮影画像から部分画像を選択することにより、撮影時にそれぞれの利用者が体を動かしていたとしても、連続撮影（連写）により得られた撮影画像上での移動は小さい。このため、各利用者が撮影されている部分を置換することは容易に行える。
【００３６】
撮影画像に撮影されている利用者が複数人の場合は、それぞれの利用者の顔を認識し、認識した結果得られた顔認識のための特徴データと、利用者を一人ずつ撮影した際に行った、顔認識のための特徴データとを対照し、撮影画像４０２、画像４０３に撮影されている利用者と、利用者を一人ずつ撮影した際に行った際の情報とを関連付けることも可能である。
【００３７】
なお、図４に示すように、複数の画像４０２、４０３が表示される場合、画像４０２および画像４０３について、利用者の撮影された部分をみると同じとなる場合には、その旨の警告を行ってもよい。言い換えると、複数の画像４０２、４０３に同じ利用者の同じ撮影画像が用いられている場合には、その旨の警告を行ってもよい。これにより、利用者は、異なるポーズや表情などで撮影された異なる画像を得ることが可能となる。あるいは、図３に示す表示において一つの画像が選択されると、選択された画像の表示が消えるようになるなどし、同じ画像が複数回選択されないようにしてもよい。
【００３８】
図５は、本願発明の一実施形態に係る写真撮影遊戯装置に含まれる画像処理装置の機能ブロック図である。画像処理装置は、画像の撮影、合成などを行う装置である。画像処理装置は、写真撮影遊戯装置の筐体内部に設置されたり、筐体内部に設置される部分と筐体外部に設置される部分とが、有線または無線通信手段により通信可能な構成となっていたりしてもよい。
【００３９】
図５に示すように、画像処理装置５００は、撮影部５０１と、画像保持部５０２と、画像選択部５０３と、画像合成部５０４と、合成画像保持部５０５と、印刷部５０６とを有する。
【００４０】
撮影部５０１は、一または複数の利用者を複数回撮影する。撮影部５０１は、例えば、ＣＣＤカメラを用いて構成することができる。また、撮影部５０１は、利用者が複数である場合には、複数の利用者が撮影空間１０１に集合して状態で利用者の全員を撮影することもできる。
【００４１】
画像保持部５０２は、撮影部５０１により撮影された一または複数の利用者を撮影した撮影画像を、保持する。例えば、半導体メモリや磁気ディスク装置などに撮影画像を情報として記憶することにより保持する。また、撮影画像に対して顔認識を行い、同じ特徴データを有し同じ利用者が撮影されている撮影画像を関連付ける。また、何人目の利用者を撮影したのかを撮影画像に関連づけてもよい。
【００４２】
画像選択部５０３は、撮影した利用者と関連付けて画像保持部５０２が保持する撮影画像から、利用者の部分画像を選択する。この場合、一または複数の利用者ごとに選択を行うことができる。例えば、図３に示した表示を行い、撮影画像から１人目の利用者を撮影した抽出した部分画像を選択する。２人目者、３人目、…の利用者の部分画像についても同様である。
【００４３】
画像合成部５０４は、画像選択部５０３により選択された撮影画像を用いて画像を合成する。ここに合成とは、画像選択部５０３により選択された撮影画像に基づいて、画像を合成することをいう。すなわち、画像選択部５０３により選択された部分画像をすくなくとも一つの撮影画像内に配置した画像を得る。また、画像選択部５０３により１人の利用者につき選択された撮影画像が複数存在すれば、選択された複数の撮影画像を組み合わせて合成を行うこともできる。例えば、１人目の利用者が２つの撮影画像を選択し、２人目の利用者が３つの撮影画像を選択した場合には、２×３＝６の画像を合成してもよい。
【００４４】
合成画像保持部５０５は、画像合成部５０４により合成した画像を保存する。合成画像保持部５０５に保持された画像は、編集空間１（１０２）または２（１０３）に配置される表示装置に表示される。これにより、画像の編集や加工が可能となる。また、再度、画像選択部５０３を動作させ、ある利用者の撮影画像を別の撮影画像と置換する（入れ替える）ことも可能である。再度、画像選択部５０３を動作させることは、例えば、図４の「１人目変更」４０５のボタンなどの押下を検出することをトリガーとすることができる。
【００４５】
印刷部５０６は、合成画像保持部５０５に保持された画像を印刷する。
【００４６】
図６は、本願発明の一実施形態に係る画像処理装置のハードウェア構成図である。ハードウェア構成としての画像処理装置６００は、ＣＰＵ６０１、ＲＯＭ６０２、ＲＡＭ６０３、ＨＤＤ６０４、入出力装置６０５、撮像装置６１２、表示装置１（６１３）、入力装置１（６１４）、表示装置２（６２３）、入力装置２（６２４）、表示装置３（６３４）、入力装置３（６３５）、印刷装置６３６を有し、相互にバスなどにより接続がされている。
【００４７】
ここに、撮像装置６１２、表示装置１（６１３）、入力装置１（６１４）は、撮影空間１０１に配置される撮影空間ユニット６１１を構成し、表示装置２（６２３）、入力装置２（６２４）は、撮影空間１（１０２）に配置される第１の撮影空間ユニット６２２を構成し、表示装置３（６３４）、入力装置３（６３５）は、撮影空間２（１０３）に配置される第２の撮影空間ユニット６２３を構成する。
【００４８】
ＣＰＵ６０１は、電源投入時に、ＲＯＭ６０２に記憶されたプログラムを実行し、ＨＤＤ６０４などに記憶されているプログラム読み出し、ＲＡＭ６０３に展開し、また、ＲＡＭ６０３を一時作業領域として用いて、プログラムを実行する。これにより、画像処理装置６００の動作が実現される。
【００４９】
入出力装置６０５は、画像処理装置６００のメンテナンスを行ったり、プログラムを変更したり、各部の動作状況を管理したりするために用いる入出力装置である。例えば、ディスプレイ、キーボード、マウスなどを含むことができる。
【００５０】
また、ＲＡＭ６０３、ＨＤＤ６０４は、撮像装置６１２により撮影された撮影画像を保持するために用いたり、画像選択部５０３により選択された撮影画像を用いて合成された画像を保存するためにも用いられたりする。
【００５１】
図７（Ａ）は、本願発明の一実施形態に係る画像処理装置６００において、利用者を撮影空間１０１において撮影する処理のフローチャートである。ステップＳ７０１の処理として、変数ｎに１を代入する。図７（Ａ）においては、変数ｎは、何回目の撮影をしているのかを表わす。ステップＳ７０２の処理として、ｎ回目撮影を撮影部５０１、撮像装置６１２により行い、撮影画像の保持を画像保持部５０２、ＲＡＭ６０３、ＨＤＤ６０４により行う。このとき撮影画像と変数ｎの値とを関連付けて記憶することもできる。この時連続撮影が行われてもよい。ステップＳ７０３の処理として、所定回数の撮影が終了したかどうかを判断する。もし、所定回数の撮影をおこなっていなければ、変数ｎの値を１増加させ、ステップＳ７０２に戻る。
【００５２】
所定回数の撮影が終了すれば、ステップＳ７０５に処理を移行させ、利用者を編集空間へ案内する。
【００５３】
図７（Ｂ）は、利用者ごとに撮影画像を選択し、撮影画像の合成、および、撮影画像の再選択の処理を説明するフローチャートである。ステップＳ７１１の処理において、変数ｎに１を代入する。ここに、変数ｎは何人目の利用者の撮影画像を選択しているのかを表わす変数である。ステップＳ７１２においてｎ≦Ｎであるかどうかを判断する。ｎ≦Ｎであれば、撮影画像をまだ選択していない利用者がいるので、ステップＳ７１３に処理を移行させ、ｎ人目の撮影画像の選択を行う。例えば、図３に一例を示した表示を行い、撮影画像の選択を行う。続くステップＳ７１４の処理として、変数ｎに格納されている値を１増加させ、ステップＳ７１２に戻る。
【００５４】
ステップＳ７１２において、ｎ＞Ｎとなれば、ステップＳ７１５に処理を移行させ、選択された撮影画像を用いて、画像合成部５０４を動作させ、合成を行う。合成の結果は、合成画像保持部５０５に保持され、ステップＳ７１６において、表示装置２（６２３）または表示装置３（６３４）に表示される。表示結果の一例は、図４に示した。ステップＳ７１７の処理として利用者の撮影画像を変更する必要があるかどうかを判断する。例えば、「１人目変更」４０５が表示されたボタンが押下されたかどうかを判断する。もし、変更する必要があれば、ステップＳ７１８に処理を移行させ、ｎ人目の撮影画像の選択を行う。例えば、図３に一例を示した表示を行い、撮影画像の選択を行い、ステップＳ７１５に戻る。
【００５５】
ステップＳ７１７において、画像を変更する必要がないと判断されれば、ステップＳ７１９に処理を移行させ、印刷を行う。例えば、図４のボタン４０９が押下されたときである。また、印刷に代えて、ネットワークを介して接続されているサーバに画像をアップロードしてもよい。この場合には、利用者から得た利用者ＩＤと関連付けてアップロードを行い、利用者がログインなどの認証後、ダウンロード可能としてもよい。
【符号の説明】
【００５６】
５００  画像処理装置、５０１  撮影部、５０２  画像保持部、５０３  画像選択部、５０４  画像合成部、５０５  合成画像保持部、５０６  印刷部
【図１】
2016208333.tif 000003
【図２】
2016208333.tif 000004
【図３】
2016208333.tif 000005
【図４】
2016208333.tif 000006
【図５】
2016208333.tif 000007
【図６】
2016208333.tif 000008
【図７】
2016208333.tif 000009